(57)【要約】      （修正有）【課題】菓子等の小分け用に使用する小皿部を一体に形成した包装用袋を提供すること。【解決手段】袋本体内に咬合テープ６を取り付けることにより内容物の充填領域１０と小分け皿形成領域９に分けて形成し、かつ前記小分け皿形成領域９にＶ字状の折り込み片３を挿入して上辺と左右辺に沿って三方シールを行い、かつ前記咬合テープ６に直近のサイドシール部にＶ又はＩノッチ１１ａ、１１ｂを設けて前記充填領域１０から小分け皿形成領域９を切り離し自在に形成しておく。【選択図】図１
2015024856.tif 000002
【特許請求の範囲】
【請求項１】
袋本体内に咬合テープを取り付けることにより内容物の充填領域と小分け皿形成領域に分けて形成し、かつ前記小分け皿形成領域にＶ字状の折り込み片を挿入して上辺と左右辺に沿って三方シールを行い、かつ前記咬合テープに直近のサイドシール部にＶ又はＩノッチを設けて前記充填領域から小分け皿形成領域を切り離し自在に形成してなる小分け皿付包装用袋。
【請求項２】
前記咬合テープを境として小分け皿形成領域側には、小分け皿を開いたときに開口状態を維持するための開口保持手段が設けられていること、を特徴とする請求項１に記載の小分け皿付包装用袋。
【請求項３】
前記開口保持手段として、アルミテープ又は形状保持テープが用いられていること、を特徴とする請求項２に記載の小分け皿付包装用袋。
【請求項４】
前記小分け皿形成領域の内面の一部には、擬似接着手段が設けられていること、を特徴とする請求項１に記載の小分け皿付包装用袋。
【請求項５】
前記切り離した小分け皿を保管出来るように、袋本体の表面又は裏面の一部に仮止め粘着テープを取り付けてなること、を特徴とする請求項１に記載の小分け皿付き包装用袋。
【発明の詳細な説明】
【技術分野】
【０００１】
本発明は、菓子等の包装用袋であって、内容物を食べる量だけ取り出してこれを一旦小分けできる小分け皿形態領域を袋本体の一部に一体に形成した包装用袋に関する。
【背景技術】
【０００２】
菓子等を充填した場合であって、湿気をきらう、例えばせんべい等の場合には、一枚（一個）ごとに個包装したものを包装用袋内に充填している例は多い。
【０００３】
しかし、このように個包装すると、この個包装分コストが嵩む。
【０００４】
また、袋内から食べる量だけ小皿に少量取り出す場合には、いちいち小皿を用意する必要があり面倒であると共に手元に小皿を用意できない場合もある。  
【０００５】
また、従来の自立袋（スタンディングパウチ）は、特開２００９―２４１９９３号公報に示されているように、内容物を充填密封するだけのもので、小分けに対する工夫はない。
【先行技術文献】
【特許文献】
【０００６】
【特許文献１】特開２００９―２４１９９３号公報
【発明の概要】
【発明が解決しようとする課題】
【０００７】
本発明は、以上に説明したように、いちいち小皿を用意する必要がないように、包装用袋の一部に小分けしたものを容れることができる小分け皿形成領域を形成しておき、包装用袋の開封と同時にこの小分け皿形成領域を切り離し、この切り離した側をスタンディングパウチのような形態に開放してこれを小皿に利用できるように製袋した点に特徴がある。
【課題を解決するための手段】
【０００８】
本発明は上記した課題のもとに、請求項１に記載した発明は、小分け皿付包装用袋において、袋本体内に咬合テープを取り付けることにより内容物の充填領域と小分け皿形成領域に分けて形成し、かつ前記小分け皿形成領域にＶ字状の折り込み片を挿入して上辺と左右辺に沿って三方シールを行い、かつ前記咬合テープに直近のサイドシール部にＶ又はＩノッチを設けて前記充填領域から小分け皿形成領域を切り離し自在に形成してなること、を特徴とするものである。
【０００９】
また、請求項２に記載の発明は、請求項１に記載の小分け皿付包装用袋において、前記咬合テープを境として小分け皿形成領域側には、小分け皿を開いたときに開口状態を維持するための開口保持手段が設けられていること、を特徴とするものである。
【００１０】
また、請求項３に記載の発明は、請求項２に記載の小分け皿付包装用容器において、開口保持手段にはアルミテープ又は形状保持テープが用いられていること、を特徴とするものである。
【００１１】
また、請求項４に記載の発明は、請求項１に記載の小分け皿付包装用袋において、小分け皿形成領域の内面には、擬似接着手段が設けられていること、を特徴とするものである。
【００１２】
また、請求項５に記載の発明は、請求項１に記載の小分け皿付包装用袋において、前記切り離した小分け皿を保管出来るように、袋本体の表面又は裏面の一部に仮止め粘着テープを取り付けてなること、を特徴とするものである。
【発明の効果】
【００１３】
本発明は以上のとおり、包装用袋を製袋する際、菓子等を袋内からとり出し、小皿として小分け用に利用できる小分け皿形成領域を一体に形成しておくことにより、小分けして食べる時に大変便利である。
【００１４】
また、小分け皿は、袋本体に仮止めしておくことにより紛失の心配がなく、再利用できる。
【図面の簡単な説明】
【００１５】
【図１】本発明に係る小分け皿付包装用袋であって、内容物を充填する前の正面図
【図２】Ａ ―Ａ´線拡大断面図
【図３】内容物を内容物充填領域内に充填し、充填口を密封し、小分け皿形成領域を切り離した状態の説明図
【図４】切り離した小分け皿形成領域を開放し、内容物を小分けした状態の説明図
【発明を実施するための形態】
【実施例１】
【００１６】
図１〜図４に基づいて本発明の実施例を詳細に説明する。
【００１７】
図１は、本発明に係る小分け皿付包装用袋の正面図であって、公知の三方シール方式で製袋されたものである。
【００１８】
図中符号の１は、袋本体であって、この袋本体１は、四角形の表と裏フイルム２ａ、２ｂ間の上辺側にＶ字状の折り込んだ折り込み片３を位置させ、更にこの折り込み片３の下方に一定の間隔を空けて凸条４ａを形成した凸条テープ４と、この凸条４ａが咬合する凹条５ａを形成した凹条テープ５からなる咬合テープ６が表フイルム２ａと裏フイルム２ｂの内面にそれぞれヒートシールされていると共に上辺に沿ってトップシール８が行われ、左右の辺に沿って所謂サイドシール７ａ及び７ｂ、７ｃが行われている。
【００１９】
更に、この袋本体１は、前記咬合テープ６を境として上側に小分け皿形成領域９が形成され、下側に内容物の充填領域１０が一体形成されている。
【００２０】
更に、上記袋本体１において、サイドシール７ａ、７ｂには、切り離しカット用にＶノッチ１１ａ、１１ｂが設けられていると共にこのＶノッチ１１に接近した位置であって、表フイルム２ａと裏フイルム２ｂの外側には、保形手段としてのアルミテープ１２ａ、１２ｂが貼り付けられている。
【００２１】
なお、このアルミテープ１２ａ、１２ｂは、小分け皿形成領域９を使用するときに、開口した状態を保持することにより小分けした菓子類を容れたり、とり出すときに便利なようにするものである。
【００２２】
また、Ｖノッチ１１からカットするときに、このアルミテープ１２は直進カットを行う上において有効である。
【００２３】
更に、このアルミテープ１２ａ、１２ｂより上側においては、表フイルム２ａと裏フイルム２ｂを仮止めするために、ホットメルト剤１３ａ、１３ｂが塗布されていて、このホットメルト剤１３ａ、１３ｂによる弱い接着力で表フイルム２ａと裏フイルム２ｂは仮接着されている。
【００２４】
なお、このホットメルト剤１３ａ、１３ｂは、小分け皿形成領域９において、表フイルム２ａと裏フイルム２ｂが膨らんだりして袋の外観が損なわれ、商品価値を損じることがないようにするためのものであるが、フイルムの材質や小分け皿形成領域９の大きさにより膨らんだりしない場合には、必ずしも必要としない。
【００２５】
図において符号の１６は、仮止め用粘着テープであって、切り離した小分け皿をここに止めておくことにより紛失を防ぎ、再利用時には簡単に剥がし取って使用できる。
【００２６】
以上に説明した小分け皿付包装用袋は、ボトム１４側から内容物を充填し、密封して提供される。そして、購入者は、Ｖノッチ１１ａ、１１ｂの一方から引き裂きを行うと、この引き裂き目は咬合テープ６とアルミテープ１２により挟まれた領域を直進し、小分け皿形成領域９を切り離すことができる。
【００２７】
この切り離しにより、小分け皿形成領域９のカット側は開放されるので、この開放に合わせてＶ字状の折り込み片３側を開放することにより、小分け皿形成領域９を小分け皿として用いることができる。１４は切り口である。
【００２８】
袋本体側の内容物をすべて消費出来なかった場合は、袋本体側の咬合テープを閉じて内容物を保管し、分離された小分け皿形成領域を袋本体表面に付与された仮止め粘着テープ１６で保管することが出来る。
【００２９】
本発明は以上のように、袋本体の一部に小分け皿形成領域９を製袋時に一体で形成するため、製造においては殆ど従来の自立袋の製造法と変わらず、また一体に成形されているため流通にも適している。
【符号の説明】
【００３０】
１    袋本体
２ａ  表フイルム
２ｂ  裏フイルム
３    折り込み片
４    凸フイルム
５    凹フイルム
６    咬合テープ
７ａ  サイドシール
７ｂ  サイドシール
８    トップシール
９    小分け皿形成領域
１０  充填領域
１１ａ，１１ｂ  Ｖノッチ
１２  アルミテープ
１３ａ  ホットメルト剤
１３ｂ  ホットメルト剤
１４  ジッパー口
１５  フック穴
１６  仮止め粘着テープ
【図１】
2015024856.tif 000003
【図２】
2015024856.tif 000004
【図３】
2015024856.tif 000005
【図４】
2015024856.tif 000006